(57)【要約】【課題】    本発明の目的は、労力の軽減化と効率化を図った古紙の回収方法及び古紙回収装置を提供するものである。【解決手段】    古紙の回収方法は、屋外又は屋内に設置された本体１内に投入された古紙２が所定量に達すると、本体１を設置された場所から車５で移動させる古紙の回収方法であって、本体１の古紙投入口１Ｔより投入された古紙２が所定量に達すると、蓋４により古紙投入口１Ｔを閉じて、移動手段３により本体１内の古紙２を移動させて、本体１内の古紙収納部にスペースを形成し、その後、蓋４により古紙投入口１Ｔを開けて、前記スペースに新たな古紙を投入するものである。【選択図】図１
2019064766.tif 000002
【特許請求の範囲】
【請求項１】
屋外又は屋内に設置された本体内に投入された古紙が所定量に達すると、前記本体を前記設置された場所から車で移動させる古紙の回収方法であって、
前記本体の古紙投入口より投入された前記古紙が所定量に達すると、蓋により前記古紙投入口を閉じて、移動手段により前記本体内の前記古紙を移動させて、前記本体内の古紙収納部にスペースを形成し、
その後、前記蓋により前記古紙投入口を開けて、前記スペースに新たな古紙を投入する
ことを特徴とする古紙の回収方法。    
【請求項２】
屋外又は屋内に載置された本体の古紙投入口より投入された前記古紙が所定量に達すると、蓋により前記古紙投入口を閉じて、移動手段により前記本体内の前記古紙を移動させて、前記本体内の古紙収納部にスペースを形成し、
その後、前記蓋により前記古紙投入口を開けて、前記スペースに新たな古紙を投入する古紙の回収方法であって、
前記本体内に投入された新たな古紙が所定量、又は、前記本体内に投入された新たな古紙を移動させ、前記古紙が所定量に達すると、前記本体を車で移動させる
ことを特徴とする古紙の回収方法。
【請求項３】
古紙は、ダンボールであり、
移動手段は、圧縮手段である
ことを特徴とする請求項１又は請求項２記載の古紙の回収方法。
【請求項４】
屋外又は屋内に載置され、内部に古紙収納部を有する本体と、
この本体内に古紙を投入する古紙投入口と、
前記本体内に投入された前記古紙を移動させる移動手段とを備え、
前記移動手段により前記古紙を移動させて、前記古紙収納部にスペースを形成し、
その後、前記蓋により前記古紙投入口を開けて、前記スペースに新たな古紙を投入する
ことを特徴とする古紙回収装置。
【請求項５】
古紙投入口を開閉する蓋を備え、
移動手段による古紙の移動は、前記蓋で古紙投入口を閉じた状態で行う
ことを特徴とする請求項４記載の古紙回収装置。
【請求項６】
古紙は、ダンボールであり、
移動手段は、圧縮手段である
ことを特徴とする請求項４又は請求項５記載の古紙回収装置。
【発明の詳細な説明】
【技術分野】
【０００１】
本発明は、古紙の回収方法及び古紙回収装置に係り、特に、労力の軽減化と効率化を図った古紙の回収方法及び古紙回収装置に関する。
【背景技術】
【０００２】
従来、各家庭で生じる新聞、雑誌、段ボール等の古紙は、自治体、町内会、ＰＴＡ等により、予め決められた日時に回収が進められている。
そのため、古紙を廃棄したいにもかかわらず、回収日までに相当の日数がある場合、又は、回収の日時を忘れ、次の回収日までに相当の日数がある場合、多量の古紙が各家庭に溜まってしまうという問題点が生じる。
かかる場合、日常使用するスーパー等の屋外に、コンテナ（例えば、特許文献１参照
）を回収用として、常時、設置して回収できるようにして、上記問題点を解消することができる。
即ち、上記コンテナは、天井面が開口し、内部に収納部を有した略直方体形状で、前
記開口を天蓋で開閉するようにしたもので、上記コンテナをスーパー等の屋外に設置し、
天蓋を開として、古紙を上記コンテナ内に投入できるようにするものである。
【先行技術文献】
【特許文献】
【０００３】
【特許文献１】特開２００３−３４１７８５号公報
【発明の概要】
【発明が解決しようとする課題】
【０００４】
しかしながら、上述のコンテナに収納された古紙を、例えば、パッカーに回収する場合、コンテナに収納された古紙を人手によりパッカーに移し替えねばならず、人的労力によらなければならないという問題点が生じた。
【０００５】
本発明は、上記事情を考慮してなされたもので、労力の軽減化と効率化を図った古紙の回収方法及び古紙回収装置を提供することを目的とする。
【課題を解決するための手段】
【０００６】
請求項１記載の古紙の回収方法は、屋外又は屋内に設置された本体内に投入された古紙が所定量に達すると、前記本体を前記設置された場所から車で移動させる古紙の回収方法であって、前記本体の古紙投入口より投入された前記古紙が所定量に達すると、蓋により前記古紙投入口を閉じて、移動手段により前記本体内の前記古紙を移動させて、前記本体内の古紙収納部にスペースを形成し、その後、前記蓋により前記古紙投入口を開けて、前記スペースに新たな古紙を投入するものである。
【０００７】
また、請求項２記載の古紙の回収方法は、屋外又は屋内に載置された本体の古紙投入口より投入された前記古紙が所定量に達すると、蓋により前記古紙投入口を閉じて、移動手段により前記本体内の前記古紙を移動させて、前記本体内の古紙収納部にスペースを形成し、その後、前記蓋により前記古紙投入口を開けて、前記スペースに新たな古紙を投入する古紙の回収方法であって、前記本体内に投入された新たな古紙が所定量、又は、前記本体内に投入された新たな古紙を移動させ、前記古紙が所定量に達すると、前記本体を車で移動させるものである。
【０００８】
また、請求項３記載の古紙の回収方法は、請求項１又は請求項２記載の古紙の回収方法において、古紙は、ダンボールであり、移動手段は、圧縮手段である。
【０００９】
また、請求項４記載の古紙回収装置は、屋外又は屋内に載置され、内部に古紙収納部を有する本体と、この本体内に古紙を投入する古紙投入口と、前記本体内に投入された前記古紙を移動させる移動手段とを備え、前記移動手段により前記古紙を移動させて、前記古紙収納部にスペースを形成し、その後、前記蓋により前記古紙投入口を開けて、前記スペースに新たな古紙を投入するものである。
【００１０】
また、請求項５記載の古紙回収装置は、請求項４記載の古紙回収装置において、古紙投入口を開閉する蓋を備え、移動手段による古紙の移動は、前記蓋で古紙投入口を閉じた状態で行うものである。
【００１１】
また、請求項６記載の古紙回収装置は、請求項４又は請求項５記載の古紙回収装置において、古紙は、ダンボールであり、移動手段は、圧縮手段である。
【発明の効果】
【００１２】
請求項１記載の古紙の回収方法によれば、屋外又は屋内に載置された本体の古紙投入口より投入された前記古紙が所定量に達すると、蓋により前記古紙投入口を閉じて、移動手段により前記本体内の前記古紙を移動させて、前記本体内の古紙収納部にスペースを形成し、その後、前記蓋により前記古紙投入口を開けて、前記スペースに新たな古紙を投入するため、本体内の古紙を移動させて、多くの古紙を回収して効率を図ることができ、しかも、本体内に投入された古紙が所定量に達すると、前記本体を車で移動させるため、従来のように人手により本体内の古紙をパッカーに移し代える作業を不要として、労力の軽減化を図ることができる。
【００１３】
また、請求項２記載の古紙の回収方法によれば、屋外又は屋内に載置された本体の古紙投入口より投入された前記古紙が所定量に達すると、蓋により前記古紙投入口を閉じて、移動手段により前記本体内の前記古紙を移動させて、前記本体内の古紙収納部にスペースを形成し、その後、前記蓋により前記古紙投入口を開けて、前記スペースに新たな古紙を投入するため、本体内に古紙を移動させて、多くの古紙を回収して効率を図ることができ、しかも、本体内に投入された新たな古紙が所定量、又は、前記本体内に投入された新たな古紙を移動させて、移動した前記古紙が所定量に達すると、前記本体を車で移動させるため、従来のように人手により本体内の古紙をパッカーに移し代える作業を不要として、労力の軽減化を図ることができる。
【００１４】
また、請求項３記載の古紙の回収方法によれば、古紙は、ダンボールであり、移動手段は、圧縮手段であるため、段ボールは、他の新聞紙、雑誌の古紙に比べ、圧縮し易いと共に、圧縮した結果、本体内に収納するダンボールのスペースを広くとることができる。
【００１５】
また、請求項４記載の古紙回収装置によれば、移動手段により古紙を移動させて、古紙収納部にスペースを形成し、その後、前記スペースに新たな古紙を投入するため、本体内に多くの古紙を効率良く回収することができる。
【００１６】
また、請求項５記載の古紙回収装置によれば、上述した請求項４記載の発明の効果に加え、移動手段による古紙の移動は、蓋で古紙投入口扉を閉じた状態で行うため、古紙投入口から誤って人等が入り込むことを防いで安全化を図ることができる。
【００１７】
また、請求項６記載の古紙の回収方法によれば、古紙は、ダンボールであり、移動手段は、圧縮手段であるため、段ボールは、他の新聞紙、雑誌の古紙に比べ、圧縮し易いと共に、圧縮した結果、本体内に収納するダンボールのスペースを広くとることができる。
【図面の簡単な説明】
【００１８】
【図１】図１は、本発明の一実施例の古紙の回収方法の一過程を示す概略的図で、屋外又は屋内に設置された本体内に古紙、例えば、段ボールが投入され、移動手段により前記本体内の前記段ボールを移動する前の状態を示している。
【図２】図２は、図１の本体内に段ボールが投入される前の状態の古紙回収装置の概略的断面図である。
【図３】図３は、図２の３−３線による概略的断面図である。
【図４】図４は、図２の概略的平面図である。
【図５】図５は、本発明の一実施例の古紙の回収方法の一過程を示す概略的図で、屋外又は屋内に設置された本体内に段ボールが投入され、移動手段により前記本体内の前記段ボールを移動する前の状態を示している。
【図６】図６は、図５の屋外又は屋内に設置された本体内の段ボールを移動手段により前記本体内の前記段ボールを移動する状態を示す概略的図である。
【図７】図７は、図６の屋外又は屋内に設置された本体内の段ボールを移動手段により前記本体内の前記段ボールを移動した後、移動手段を後退させて前記本体内に段ボールの投入スペースを形成した状態を示す概略的図である。
【図８】図８は、図７の移動手段を後退させて本体内に段ボールの投入スペースに段ボールが投入された状態を示す概略的図である。
【図９】図９は、図８の屋外又は屋内に設置された本体内の段ボールを移動手段により前記本体内の前記段ボールを移動した状態を示す概略的図である。
【発明を実施するための形態】
【００１９】
本発明の一実施例の古紙の回収方法及び古紙回収装置を図面（図１乃至図９）を参照して説明する。
図１に示すＤは古紙回収装置で、古紙回収装置Ｄは、ホームセンター，スーパーマーケット，コンビニエンスストアの敷地等の屋外又は屋内に設置され、不要になった古紙（）新聞紙、雑誌、段ボール）、例えば、段ボールを受け入れる古紙の回収方法に使用される装置である。
【００２０】
また、図１に示す１は本体で、本体１は、屋外又は屋内に載置され、内部に古紙収納部１Ｓを有する。１Ｔは、本体１内に段ボール２を投入する古紙投入口で、古紙投入口１Ｔは、古紙収納部１Ｓの上方に位置している。
【００２１】
また、３は、本体１内に投入された段ボール２を移動させる移動手段で、移動手段３は、本体１の側面部１Ａに対向して設けられた移動部材（例えば、鉄製板部材）３１を本体１の側面部１Ａに向かうように移動し、古紙を移動させる。特に、古紙２が段ボールの場合、本体１の側面部１Ａと移動部材（例えば、鉄製板部材）３１との間に位置する段ボール２を圧縮するもので、移動手段３は、例えば、移動部材（例えば、鉄製板部材）３１に進退するロッド（図示せず）を接続しても良いし、進退する第１、第２のチェーン３２、３２’を介して行うようにしても良い。
【００２２】
即ち、第１、第２のチェーン３２、３２’を移動部材（例えば、鉄製板部材）３１の両側に設ける。
第１のチェーン３２の一端は移動部材（例えば、鉄製板部材）３１の裏面に、第１のチェーン３２の他端は移動部材（例えば、鉄製板部材）３１の表面に、接続するようにしている。
また、第１のチェーン３２は、第１の鎖車３３、第１’の鎖車３３’に係合している。
第２のチェーン３２’の一端は移動部材（例えば、鉄製板部材）３１の裏面に、第２のチェーン３２’の他端は移動部材（例えば、鉄製板部材）３１の表面に、接続するようにしている。
また、第２のチェーン３２’は、第２の鎖車３４、第２’の鎖車３４’に係合している。
３５はモーターで、３６はモーター３５の回転軸に取り付けられた第３の鎖車、３７は中央に第４の鎖車３８を取り付けた回転軸で、３９は第３の鎖車と第４の鎖車３８とに係合する第３のチェーンである。
【００２３】
第１のチェーン３２の近傍に第１、第２の案内通路Ｍ１、Ｍ２が設けられ、第１の案内通路Ｍ１には、移動部材３１と一体に動く第１のローラＲ１が、第２の案内通路Ｍ２には、移動部材３１と一体に動く第２のローラＲ２が、摺動するようになっている。
また、第２のチェーン３’２の近傍に第３、第４の案内通路Ｍ３、Ｍ４が設けられ、第３の案内通路Ｍ３には、移動部材３１と一体に動く第３のローラＲ３が、第４の案内通路Ｍ４には、移動部材３１と一体に動く第４のローラＲ４が、摺動するようになっている。
【００２４】
なお、上述した第１の鎖車３３は回転軸３７の一方の側に、第２の鎖車３４は回転軸３７の他方の側に、取り付けられ、第１’の鎖車３３は、本体１の背面部内の本体１の側面部１Ａに近い側に、第２’の鎖車３４’は、本体１の正面部内の本体１の側面部１Ａに近い側に、取り付けられている。
モーター３５の回転は、第３の鎖車３６、第３のチェーン３９、回転軸３７に伝達され、第１の鎖車３３、第１のチェーン３２を介して移動部材（例えば、鉄製板部材）３１の一方に、第２の鎖車３４、第２のチェーン３２’を介して移動部材（例えば、鉄製板部材）３１の他方に、伝達され、例えば、モーター３５の正回転により、移動部材（例えば、鉄製板部材）３１を本体１の側面部１Ａに向かうように移動し、モーター３５の逆回転により、移動部材（例えば、鉄製板部材）３１を本体１の側面部１Ａから離れるように移動するようになっている。
【００２５】
図１に示す４は、古紙投入口１Ｔを開閉する蓋で、上述した移動手段３による古紙２の移動は、蓋４で古紙投入口１Ｔを閉じた状態で行うようになっている。これは、古紙２の移動時、古紙投入口１Ｔから誤って人等が入り込むことを防いで安全化を図るためである。
なお、蓋４が古紙投入口１Ｔを閉じたことを図示しないスイッチが検知することを条件として、モーター３５が回転するようになっている。
【００２６】
従って、上述した古紙回収装置Ｆ（古紙の回収方法）は、屋外又は屋内に設置された本体１内に投入された古紙２が所定量に達すると、本体１を前記屋外又は屋内から車で移動させる古紙回収装置（古紙の回収方法）であって、本体１の古紙投入口１Ｔより投入された古紙２が所定量に達すると、図５及び図６に示すように、蓋４により古紙投入口１Ｔを閉じて、移動手段３により本体１内の古紙２を移動させて、本体１内の古紙収納部１Ｓにスペースを形成し（図７参照）、その後、蓋４により古紙投入口１Ｔを開けて、前記スペースに新たな古紙２を投入するようにする。
そのため、本体１内に古紙２を移動させて多くの段ボール２を回収して効率を図ることができ、しかも、本体１内に投入された古紙２が所定量に達すると、本体１を車で移動させるため、従来のように人手により本体１内の古紙２をパッカーに移し代える作業を不要として、労力の軽減化を図ることができる。
【００２７】
また、屋外又は屋内に載置された本体１の古紙投入口１Ｔより投入された古紙２が所定量に達すると（図５）、蓋４により古紙投入口１Ｔを閉じて、移動手段３により本体１内の古紙２を移動させて（図６）、本体１内の古紙収納部１Ｓ０にスペースを形成し（図７）、
その後、蓋４により古紙投入口１Ｔを開けて、前記スペースに新たな古紙２を投入する（図８）古紙の回収方法であって、
本体１内に投入された新たな古紙２が所定量、又は、本体１内に投入された新たな古紙２を移動させて、移動した古紙２が所定量に達すると、本体１を車で移動させるようにする。
即ち、本体１内に古紙２を移動させて多くの古紙２を回収して効率を図ることができ、しかも、本体１内に投入された新たな古紙２が所定量、又は、本体１内に投入された新たな古紙２を移動させて、移動した古紙２が所定量に達すると、本体１を車５（例えば、空の荷箱（コンテナ）を自力で脱着出来るアームをトラックシャーシに搭載した脱着装置付きコンテナ専用車）で移動させるため、従来のように人手により本体１内の古紙２をパッカーに移し代える作業を不要として、労力の軽減化を図ることができる。
なお、モーター３５の電源は、例えば、車５のバッテリー５１を使用することができ、移動手段３のオン、オフ、蓋４の開閉等は、図１に示すスイッチ操作部Ｂによって行うようになっている。
【００２８】
特に、古紙２が段ボールの場合、本体１の側面部１Ａと移動部材（例えば、鉄製板部材）３１との間に位置する段ボール２は圧縮され、段ボールは、他の新聞紙、雑誌の古紙に比べ、圧縮し易いと共に、圧縮した結果、本体１内に収納するダンボールのスペースを広くとることができる等の効果を有する。
【符号の説明】
【００２９】
Ｄ      古紙回収装置
１      本体
１Ｔ    古紙投入口
２      古紙
３      移動手段
４      蓋  
５      車
【図１】
2019064766.tif 000003
【図２】
2019064766.tif 000004
【図３】
2019064766.tif 000005
【図４】
2019064766.tif 000006
【図５】
2019064766.tif 000007
【図６】
2019064766.tif 000008
【図７】
2019064766.tif 000009
【図８】
2019064766.tif 000010
【図９】
2019064766.tif 000011
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
屋外又は屋内に設置された本体内に投入された古紙が所定量に達すると、前記本体を前記設置された場所から車で移動させる古紙の回収方法であって、
前記本体の天井面が開放された古紙投入口より前記本体内にランダムに投入された前記古紙が所定量に達すると、蓋により前記古紙投入口を閉じて、移動手段により前記本体内の前記古紙を移動させて、前記本体内の古紙収納部にスペースを形成し、
その後、前記蓋により前記古紙投入口を開けて、前記スペースに新たな古紙を投入す
る
ことを特徴とする古紙の回収方法。    
【請求項２】
屋外又は屋内に載置された本体の開放された天井面に形成された古紙投入口よりランダムに投入された前記本体内の前記古紙が所定量に達すると、蓋により前記古紙投入口を閉じて、移動手段により前記本体内の前記古紙を移動させて、前記本体内の古紙収納部にスペースを形成し、
その後、前記蓋により前記古紙投入口を開けて、前記スペースに新たな古紙を投入す
る古紙の回収方法であって、
前記本体内に投入された新たな古紙が所定量、又は、前記本体内に投入された新たな
古紙を移動させ、前記古紙が所定量に達すると、前記本体を車で移動させる
ことを特徴とする古紙の回収方法。
【請求項３】
本体は、ホームセンター，スーパーマーケット，コンビニエンスストアの何れか一つの敷地に載置され、
古紙は、ダンボールであり、
移動手段は、圧縮手段である
ことを特徴とする請求項１又は請求項２記載の古紙の回収方法。
【請求項４】
屋外又は屋内に載置され、内部に古紙収納部を有する本体と、
この本体の開放された天井面に形成され、前記本体内に古紙を投入する古紙投入口と、
前記本体内に投入された前記古紙を移動させる移動手段と、
前記古紙投入口を開閉する蓋とを備え、
前記蓋により前記古紙投入口を閉じて、前記移動手段により前記古紙を移動させて、前記古紙収納部にスペースを形成し、
その後、前記蓋により前記古紙投入口を開けて、前記スペースに新たな古紙を投入す
る
ことを特徴とする古紙回収装置。
【請求項５】
古紙投入口を開閉する蓋を備え、
移動手段による古紙の移動は、前記蓋で古紙投入口を閉じた状態で行う
ことを特徴とする請求項４記載の古紙回収装置。
【請求項６】
本体は、ホームセンター，スーパーマーケット，コンビニエンスストアの何れか一つの敷地に載置され、
古紙は、ダンボールであり、
移動手段は、圧縮手段である
ことを特徴とする請求項４又は請求項５記載の古紙回収装置。
【手続補正２】
【補正対象書類名】明細書
【補正対象項目名】０００６
【補正方法】変更
【補正の内容】
【０００６】
請求項１記載の古紙の回収方法は、屋外又は屋内に設置された本体内に投入された古紙が所定量に達すると、前記本体を前記設置された場所から車で移動させる古紙の回収方法であって、前記本体の天井面が開放された古紙投入口より本体内にランダムに投入された前記古紙が所定量に達すると、蓋により前記古紙投入口を閉じて、移動手段により前記本体内の前記古紙を移動させて、前記本体内の古紙収納部にスペースを形成し、その後、前記蓋により前記古紙投入口を開けて、前記スペースに新たな古紙を投入す
るものである。
【手続補正３】
【補正対象書類名】明細書
【補正対象項目名】０００７
【補正方法】変更
【補正の内容】
【０００７】
また、請求項２記載の古紙の回収方法は、屋外又は屋内に載置された本体の開放された天井面に形成された古紙投入口よりランダムに投入された前記本体内の前記古紙が所定量に達すると、蓋により前記古紙投入口を閉じて、移動手段により前記本体内の前記古紙を移動させて、前記本体内の古紙収納部にスペースを形成し、その後、前記蓋により前記古紙投入口を開けて、前記スペースに新たな古紙を投入する古紙の回収方法であって、前記本体内に投入された新たな古紙が所定量、又は、前記本体内に投入された新たな古紙を移動させ、前記古紙が所定量に達すると、前記本体を車で移動させるものである。
【手続補正４】
【補正対象書類名】明細書
【補正対象項目名】０００８
【補正方法】変更
【補正の内容】
【０００８】
また、請求項３記載の古紙の回収方法は、請求項１又は請求項２記載の古紙の回収方法において、本体は、ホームセンター，スーパーマーケット，コンビニエンスストアの何れか一つの敷地に載置され、古紙は、ダンボールであり、移動手段は、圧縮手段である。
【手続補正５】
【補正対象書類名】明細書
【補正対象項目名】０００９
【補正方法】変更
【補正の内容】
【０００９】
また、請求項４記載の古紙回収装置は、屋外又は屋内に載置され、内部に古紙収納部を有する本体と、この本体の開放された天井面に形成され、前記本体内に古紙を投入する古紙投入口と、前記本体内に投入された前記古紙を移動させる移動手段と、前記古紙投入口を開閉する蓋とを備え、前記蓋により前記古紙投入口を閉じて、前記移動手段により前記古紙を移動させて、前記古紙収納部にスペースを形成し、その後、前記蓋により前記古紙投入口を開けて、前記スペースに新たな古紙を投入するものである。
【手続補正６】
【補正対象書類名】明細書
【補正対象項目名】００１１
【補正方法】変更
【補正の内容】
【００１１】
また、請求項６記載の古紙回収装置は、請求項４又は請求項５記載の古紙回収装置に
おいて、本体は、ホームセンター，スーパーマーケット，コンビニエンスストアの何れか一つの敷地に載置され、古紙は、ダンボールであり、移動手段は、圧縮手段である。